(57)【要約】【課題】      特に露出状態の肉箱が左右または上下方向に移動することに起因して発生する作業者との接触事故を防止し、スライス作業時は勿論、作業終了後の清掃、整備作業などにおいても支障をきたすことのない安全で操作性の良い食肉スライサーを提供する。【解決手段】  左右または上下方向の一定区間を往復移動するよう機台１に支持されて食肉を送り出す肉箱４および肉箱の先端から送り出された食肉の先端を切削する丸刃２を備えた食肉スライサーにおいて、肉箱の移動範囲全域にわたって肉箱を覆う肉箱カバー１２が機台に支持されて設けられ、肉箱カバーには、肉箱の往復移動の始端位置において停止中の肉箱へ少なくとも原料の食肉が供給できる広さを有する供給口が開口され、供給口の開口部には、開口部を塞ぐことができる大きさの開閉可能な供給口カバー１３が設けられている。【選択図】    図１
2007021695.tif 000002
【特許請求の範囲】
【請求項１】
左右または上下方向の一定区間を往復移動するよう機台に支持されて食肉を送り出す肉箱および前記肉箱の先端から送り出された食肉の先端を切削する丸刃を備えた食肉スライサーにおいて、前記肉箱の移動範囲全域にわたって該肉箱を覆う肉箱カバーが機台に支持されて設けられ、該肉箱カバーには、肉箱の往復移動の始端位置において停止中の肉箱へ少なくとも原料の食肉が供給できる広さを有する供給口が開口され、該供給口の開口部には、開口部を塞ぐことができる大きさの開閉可能な供給口カバーが設けられていることを特徴とする食肉スライサー。
【請求項２】
前記肉箱に搭載された食肉の残量に関連して該肉箱を始端位置で停止させた後に、前記供給口カバーを開放状態とする開閉手段が設けられていることを特徴とする請求項１に記載の食肉スライサー。
【請求項３】
前記食肉の上面部に接して該食肉を送出す作用位置および原料の食肉を肉箱へ供給するときに支障とならない上方の退避位置の間を揺動移動可能に上部送りローラーが前記肉箱に備えられており、前記供給口カバーは、前記上部送りローラーが前記作用位置に位置するときは閉じられ、前記退避位置に位置するときには開放可能となっていることを特徴とする請求項１または２に記載の食肉スライサー。
【請求項４】
前記肉箱カバーの一部を機台に係止させた状態のまま、始端位置において前記肉箱が露出する状態まで該肉箱カバーを移動させることが可能な移動手段を設けたことを特徴とする請求項１または２に記載の食肉スライサー。
【請求項５】
前記機台に回動可能に取付けられた支持軸に前記肉箱カバーを支持させ、該支持軸を中心として該肉箱カバーを上下方向に揺動させることにより、前記移動手段は、該肉箱カバーが該肉箱の移動範囲全域を覆う状態および少なくとも始端位置で停止している該肉箱を露出させる状態に切替え可能としたことを特徴とする請求項４に記載の食肉スライサー。
【請求項６】
前記移動手段が、機台に支持された前記肉箱カバーを一旦後方にスライドさせてから下方に揺動させて肉箱を露出させるようにしたことを特徴とする請求項４に記載の食肉スライサー。
【請求項７】
往復移動する前記肉箱の始端位置において、該肉箱に相対する前記肉箱カバーの側面部を、少なくとも、該肉箱を構成する始端側の側壁板および下部送りコンベヤが取外しできる広さに開口しており、この開口した部分には開口部分を塞ぐことができる開閉可能な側面カバーを設けたことを特徴とする請求項１〜６の何れか１項に記載の食肉スライサー。
【請求項８】
前記供給口カバーは外部から内部が見通せるものであることを特徴とする請求項１〜６の何れか１項に記載の食肉スライサー。
【請求項９】
前記供給口カバーが透明部材により作られていることを特徴とする請求項８に記載の食肉スライサー。
【請求項１０】
前記供給口カバーが、指の侵入を防止する大きさの多数の透かし穴を具備していることを特徴とする請求項８に記載の食肉スライサー。
【発明の詳細な説明】
【技術分野】
【０００１】
本発明は、食肉スライサーに関し、より詳しくは、現在最も広く普及しているタイプの食肉スライサーにおける安全性の改良に関する。
【背景技術】
【０００２】
最も一般的な食肉スライサーにおいては、特許文献１（特開２００３−１７０３９０公報）の図１などに示されるように、垂直面内で回転する丸丸刃の回転面にブロック肉の前端面を沿わせ、ブロック肉を収納した肉箱をクランク機構によってレール上を左右方向に往復移動させる水平往復型となっている。この特許文献１に記載の食肉スライサーでは、クランク機構が、肉箱の直下で水平方向に回転するように備えられている。
【０００３】
一方、特許文献２（特開２００２−２３９９８１公報）の図３および図４に示されるように、刃物架台の下部に縦方向に回転するように、クランク機構を配置した食肉スライサーもある。
【０００４】
特許文献１および図２のいずれに記載された食肉スライサーでも、肉箱は露出したままで左右方向に移動するので、作業者に対して極めて危険な状態である。しかし、上述の食肉スライサーは古くから使われている構成であって、他の部分は改良が重ねられたが、肉箱が露出した状態は現在もそのまま踏襲され、未だに改良されようとしていない。
【０００５】
もともと、この種の食肉スライサーを操作すること自体が、危険作業であるとの認識の下に、作業者はそれなりに一定期間訓練され、熟練した使用技術を有する「職人」と呼ばれる人たちだけであったので、上述の危険な状態が問題とされることが少なかった。
【０００６】
ところが最近になって、経験の浅いパートの女性や意思伝達が難しい外国人労働者など所謂「素人」に作業者が変わってきて、事故が多発する傾向にある。因みに、厚生労働省の統計によれば、平成１３年度におけるカッター、スライサーによる事故は６９８件とされているが、実数はこれを越えているものと思われ、食肉加工現場からは安全性の高い食肉スライサーの開発が強く望まれるようになった。
【０００７】
このような状況下において、安全性向上策の一つとして特許文献３（特許第３３３５９８９号公報）に示されるように、肉箱を上下方向に往復移動させる方式の食肉スライサーが発表された。しかし、特許文献３においても、肉箱は前述の食肉スライサーと同様に露出状態であり、移動する肉箱に作業者が不用意に接触して予期しない事故を起こす恐れは、依然として解消されていない。
【特許文献１】特開２００３−１７０３９０公報
【特許文献２】特開２００２−２３９９８１公報
【特許文献３】特許第３３３５９８９号公報
【発明の開示】
【発明が解決しようとする課題】
【０００８】
本発明は、前述のような食肉スライサーにおいて、特に露出状態の肉箱が左右および上下方向に移動することに起因して発生する作業者との接触事故を防止し、しかもスライス作業時は勿論、作業終了後の清掃、整備作業などにおいても支障をきたすことのない安全で操作性の良い食肉スライサーを提供することを目的としている。
【課題を解決するための手段】
【０００９】
本発明においては、上記目的を、左右または上下方向の一定区間を往復移動するよう機台に支持されて食肉を送り出す肉箱および前記肉箱の先端から送り出された食肉の先端を切削する丸刃を備えた食肉スライサーにおいて、前記肉箱の移動範囲全域にわたって該肉箱を覆う肉箱カバーが機台に支持されて設けられ、該肉箱カバーには、肉箱の往復移動の始端位置において停止中の肉箱へ少なくとも原料の食肉が供給できる広さを有する供給口が開口され、該供給口の開口部には、開口部を塞ぐことができる大きさの開閉可能な供給口カバーが設けられていることを特徴とする食肉スライサーにより達成する。
【００１０】
本発明においては、供給口カバーを透明部材により製作したり、供給口カバーに指の侵入を防止する大きさの多数の透かし穴を具備させて、供給口カバーの外部から肉箱カバーの内部が見通せるようにすることが好ましい。
【００１１】
本発明の食肉スライサーにおいては、前記肉箱に搭載された食肉の残量に関連して該肉箱を始端位置で停止させた後に、前記供給口カバーを開放状態とする開閉手段が設けられていると、原料の食肉の投入作業が容易となり好ましい。
【００１２】
更に、本発明においては、前記食肉の上面部に接して該食肉を送出す作用位置および原料の食肉を肉箱へ供給するときに支障とならない上方の退避位置の間を揺動移動可能に上部送りローラーが前記肉箱に備えられており、前記供給口カバーは、前記上部送りローラーが前記作用位置に位置するときは閉じられ、前記退避位置に位置するときには開放可能となっていることにより、食肉の送出しが確実に行えるとともに原料の食肉の投入が容易に行え好ましい。
【００１３】
また、本発明においては、前記肉箱カバーの一部を機台に係止させた状態のまま、始端位置において前記肉箱が露出する状態まで該肉箱カバーを移動させることが可能な移動手段を設けることが好ましい。
【００１４】
この場合に、前記機台に回動可能に取付けられた支持軸に前記肉箱カバーを支持させ、該支持軸を中心として該肉箱カバーを上下方向に揺動させることにより、前記移動手段は、該肉箱カバーが該肉箱の移動範囲全域を覆う状態および少なくとも始端位置で停止している該肉箱を露出させる状態に切替え可能とすることが好ましい。
【００１５】
別の態様として、前記移動手段が、機台に支持された前記肉箱カバーを一旦後方にスライドさせてから下方に揺動させて肉箱を露出させるようにしてもよい。
【００１６】
更に、本発明においては、往復移動する前記肉箱の始端位置において、該肉箱に相対する前記肉箱カバーの側面部を、少なくとも、該肉箱を構成する始端側の側壁板および下部送りコンベヤが取外しできる広さに開口しており、この開口した部分には開口部分を塞ぐことができる開閉可能な側面カバーを設けてもよい。
【発明の効果】
【００１７】
本発明においては、肉箱の移動範囲全域にわたって肉箱を覆う肉箱カバーが機台に支持されて設けられており、食肉スライサーにおいて、特に露出状態の肉箱が左右または上下方向に移動することに起因して発生する作業者との接触事故を防止できる。しかも、本発明においては、肉箱カバーには、肉箱の往復移動の始端位置において停止中の肉箱へ少なくとも原料の食肉が供給できる広さを有する供給口が開口され、供給口の開口部には、開口部を塞ぐことができる大きさの開閉可能な供給口カバーが設けられているので、スライス作業時は勿論、作業終了後の清掃、整備作業などにおいても支障をきたすことのない安全で操作性の良い食肉スライサーが提供される。
【００１８】
加えて、スライス作業中においては、肉箱が肉箱カバーによって覆われるので、肉箱への異物の混入が防止できる。また、肉箱の移動による小肉片や肉汁などの機台周辺への飛散が防止できるなどの効果も期待できる。
【発明を実施するための最良の形態】
【００１９】
以下、本発明の実施例を図示した添付図面を参照して、本発明を詳細に説明する。
【００２０】
本発明に係る食肉スライサーは、垂直に回転する丸刃の回転面に前端面を沿わせ、クランク機構によってレールまたはガイドに沿って、左右または上下方向に往復移動する肉箱を備えた公知の構成の食肉スライサーにおいて、改良として、肉箱の左右または上下移動範囲全域を覆う肉箱カバーを食肉スライサーの機台に装着したものである。
【００２１】
図１および図２を参照して第一実施例の構成を説明する。ここに、図１は肉箱を左右方向に往復移動させるクランク装置が肉箱の直下に平面で回転するように配置されている特許文献１に示されるタイプの食肉スライサーの斜視図であり、図２は図１の側面図である。この食肉スライサーに本発明を実施したものが第一実施例である。
【００２２】
機台１の内部にモーター（図示せず）を設置し、機台１の前側で垂直面内で回転する丸刃２をモーターによって駆動する。更に、機台１内に別のモーター（図示せず）を設置し、この別のモーターによりクランク（図示せず）を機台１上で水平面上で回転させ、前後をガイドレール３、３（図２参照）に支持されて左右方向（図１の矢印右一左）の一定区間を水平に往復移動する肉箱４をクランクに連結している。上記構成により、肉箱４は図１に示す矢印右の始端部位置から矢印左位置迄の間を水平に往復移動する。
【００２３】
この他に丸刃２と肉箱４を適宜傾斜させた状態で肉箱４を左右方向に往復移動させる方式のハムスライサーや冷凍した食肉を切削する冷凍肉スライサーがあるがこれらのスライサーにおいても本発明は適応できる。
【００２４】
図２に示すように、肉箱４の底部には肉送りコンベヤ５が設けられている。また、肉箱４の上方には複数本の上部送りローラー６、６が設けられている。後述するように、上部送りローラー６、６は、肉箱４に収納された食肉の上面部に接して食肉を送出す作用位置および原料の食肉を肉箱へ供給するときに支障とならない上方の退避位置の間を揺動移動可能に設けられている。
【００２５】
肉箱４の丸刃２側の先端部には、食肉８先端全面を受ける当板１０を食肉８の送り出し方向（前後方向）に位置調節可能に機台１に取着している。この当板１０は丸刃２で切削されてできる薄肉片の厚みに合わせてハンドル１１で調節できる構成としている。
【００２６】
丸刃２は肉箱４の丸刃２側先端部から送り出される食肉８の先端部を切削して薄肉片とする。丸刃２は肉箱４の先端部付近に立設された支柱に支持され公知の駆動手段により垂直面内で高速回転される。上述のように構成された第一実施例における肉箱カバー１２の構成について説明する。
【００２７】
本発明に係る肉箱カバー１２はステンレス鋼や合成樹脂などの薄い板材を用いて製作する。第一実施例においては、肉箱１２は左右方向に往復移動する肉箱４の移動軌跡を包み込むことができるよう箱状に構成され、しかも前面と底面の大部分が開放されている。すなわち、肉箱４の移動範囲における機台１、当板１０、丸刃２などでカバーされる区域を除いて、外部から人体が接触できないように囲っている。
【００２８】
肉箱カバー１２には少なくとも始端部位置に停止している肉箱４に原料の食肉８を投入可能な大きさの開口部を設けている。更に、この開口部を塞ぐことができる大きさの開閉可能なカバー１３を肉箱４の開口部に設けている。すなわち、第一実施例においては、始端部位置に停止している肉箱４に対向する肉箱カバー１２の上面の一部を切り取り、開口部とし、その開口部を塞ぐことができる大きさの供給口カバー１３を蝶番１４、１４により肉箱カバー１２に開閉自在に取付けている。
【００２９】
この供給口カバー１３は内部が見通せるように強化ガラス、プラスチック等の透明材とするか若しくは図１５に示すように指の進入を阻止する大きさの所定間隔の多数の桟とし、桟の間から内部の肉箱４が見えるようにしたり、図１６に示すように、指の進入を阻止する大きさの透かし穴１３ａを多数穿設していることが望ましい。また、供給口カバー１３には開閉時に手がかけられる凹部１５などを適宜設けると人手による開閉が容易に行えて便利である。
【００３０】
上述した第一実施例においては、肉箱カバー１２の上面の一部から後面１２ａの一部にかけて開口されて、肉箱カバー１２の供給口が形成され、この供給口を塞ぐことができる逆Ｌ字端面をした供給口カバー１３が肉箱カバー１２に開閉可能に設けられている。図３は、この供給口カバー１３を開けた状態（内部構成の記載は省略）を示している。このように肉箱カバー１２の開口部を後面１２ａまで延設すると、原料の食肉の補給が行い易い。
【００３１】
本発明において、肉箱カバー１２の一部を機台に係止させた状態のまま、始端位置において肉箱４が露出する状態まで肉箱カバー１２を移動させることが可能な移動手段が設けられる。第一実施例における肉箱カバー１２の移動装置は次のように構成される。すなわち、図２に示すように機台１の上部左右側端部にはガイド面を有するレール１６、１６が前後方向（図２の紙面に平行な方向）に延設されている。一方、肉箱カバー１２は肉箱４の移動方向にＬ断面した形状がコの字状に形成されていて、この肉箱カバー１２の前端左右下方部にはローラー１７、１７が回転可能に設けられ（図１１参照）、ローラー１７、１７はレール１６、１６のガイド面に係合している。したがって肉箱カバー１２は、図２の実線で表示された肉箱４の移動範囲を包囲する作業状態位置から前記ローラー１７、１７をレール１６、１６に沿って後方に移動させレール１６、１６の終端部に至った位置で停止させる。次いでローラー１６、１６の軸心を中心として肉箱カバー１２を下方に向けて揺動させて仮想線で表示した状態１２′にすると肉箱は露出状態にされる。
【００３２】
上述のように、肉箱カバー１２の一部を機台１に係止させた状態のまま、始端位置において肉箱４が露出する状態まで肉箱カバー１２を移動させることが可能な移動手段を設けて肉箱カバー１２を移動可能に構成した結果、始端位置において簡単な操作で楽に肉箱４を露出状態とすることができるので各部の点検、整備や分解しての清掃、洗浄などが容易に行える。肉箱カバー１２は機台１に吊り下げられた状態となるので、肉箱カバー１２の内壁面の水洗が行ない易く、洗浄水が飛散することもない。また、肉箱カバー１２を機台１から取り外さないので、肉箱カバー１２の置き場所を要せず、肉箱カバー１２を変形させる恐れもない。清掃が終われば逆の順序にて元の状態に復帰させる。
【００３３】
図４および図５に示される第二実施例について説明する。なお、図４はクランク機構が、刃物架台の下部に配置されて縦方向に回転する特許文献２に示されるタイプの食肉スライサーの斜視図であり、図５は図４の側面図である。
【００３４】
本実施例の食肉スライサーにおいては、肉箱４は前述の第一実施例と同じ構成であり、肉箱４を左右方向に移動させるクランク装置（図示なし）が刃物架台１８の下部に位置する機台１の内部に配置されている（特許文献２に示されているような構成である）。
【００３５】
クランク装置と肉箱４とが連結部材１９（図５）で一体的に連結されている。本実施例における肉箱カバー１２は前面部以外を全て囲う箱状に形成されており、肉箱４の始端位置において肉箱４が露出するまで肉箱カバー１２を移動させる手段として、図５に示すように、機台１に取付けられた支持軸２０によって回動可能に支持されている。この支持軸２０を中心として肉箱カバー１２を上下方向に揺動させることにより、肉箱カバー１２が肉箱４の移動範囲全域を覆った状態（図５に示す実線の状態）と始端位置で停止している肉箱４を露出させる状態（図５における仮想線表示１２′の状態）とに切替え可能に構成されている。
【００３６】
肉箱４は本発明の全ての実施例において同様の構成とされている。肉箱４における食肉の送出し装置および肉箱カバー１２の関係について代表的に図６を用いて説明する。なお、図６は図４の正面図である。
【００３７】
食肉の送出し装置は前述の肉送りコンベヤ５と上部送りローラー６、６とによって構成されている。上部送りローラー６、６は揺動可能な支持アーム７に支持されていて、肉送りコンベヤ５上に搭載された原料の食肉８の上面に接してコンベヤ５と協働して食肉を丸刃２に向けて送り出す作用位置（図２に示す位置）と、食肉８をコンベヤ５上へ供給する時に支障とならない上方の退避位置（図６の仮想線で示す位置）との間を揺動移動可能に構成されている。上部送りローラー６、６が図６に示す退避位置にある場合には、供給口カバー１３は図６に示す仮想線位置まで開放されている。
【００３８】
また、この肉箱４の左右にはコンベヤ５上に搭載された原料の食肉８を挟んで案内する側壁板９、９ａ（図６）が立設されている。なお、左側（刃物側）の側壁板９は搭載された食肉の左右幅に応じて適宜位置調節できる。また、始端側側壁板９ａは、食肉のスライス作業終了時に、簡単に取り外せるように肉箱４に装着されている。側壁板９ａを外すと、関連してコンベヤ５やローラー６なども公知の手段で簡単に取り出せるようになっている。
【００３９】
この肉箱４は、前述の食肉の送出し装置を含めて、何れの実施例においても同じ構成のものを使用しており、これらは広く知られた慣用技術であるので詳細な説明は省略している。
【００４０】
図７および図８を参照して肉箱カバー１２の他の構成例について説明する。なお、図７は肉箱４の移動範囲を覆う肉箱カバー１２の一例であって、供給口カバー１３と側面カバーとを一体的に構成した斜視図である。図８は図７に示す例における一体カバーを開放した状態を示す正面図である。
【００４１】
本例における肉箱カバー１２の特徴は、肉箱カバー１２の上面に設けられる供給口カバー相当部と側面に設けられる側面カバー相当部とを一体的に形成して、一体カバー２１としたことである。図８に示すように供給口の一体カバー２１を開けると、開放される部分が大きくなり原料の食肉の補給作業が容易であり、カバーの形成も簡単に行える。
【００４２】
図９および図１０を参照して他の肉箱カバー１２の例について説明する。なお、図９は肉箱カバーの別の実施例を示す斜視図である。図１０は図９に示す実施例において供給口カバーと側面カバーを同時に開放した状態を示す正面図である。
【００４３】
本例における肉箱カバー１２の特徴は、始端位置に停止した肉箱４の上方部には原料の食肉が供給可能な最小限の大きさの供給口カバー１３を、一方、側方部には側面が全面的に開放される側面カバー２２を、それぞれ蝶番１４、１４ａにより開放自在に設けたことである。通常の作業時において原料の食肉を補給する際には、供給口カバー１３のみを開閉すれば良い。一方、スライス作業終了後の清掃時には、側面カバー２２を開け、原料の食肉８を案内する側壁板９ａとコンベヤ５を外して取出すことができる。また、肉箱カバー１２を構成する反始端側部分１３ｂを開閉可能とすれば、刃物の反切削側の点検、整備が容易に行なえる。
【００４４】
図１１に供給口カバー１３の開閉手段の一例を示す。本例における開閉手段としては肉箱カバー１２と供給口カバー１３との問に圧縮空気を動力とした伸縮装置２３を介装させている。肉箱４が停止しているときのみ、この伸縮装置は作動させるような制御手段を設けている。なお制御手段の詳細な構成は省略するが伸縮装置を作動させる操作スイッチは独立して設け、作業者が直接操作できるようにするとよい。
【００４５】
または、肉箱４に搭載された食肉の残量が所定量になったことを検知するセンサー（図示せず）を取り付け、センサーの検出結果を受けて肉箱４を始端位置に停止させた後、伸縮装置を作動させて自動的に供給口カバー１３を開放させるように制御すると原料の食肉の投入に便利である。この場合においても、供給口カバー１３を閉じる際には作業者が操作スイッチを操作するようにすると安全である。
【００４６】
肉箱４が左右方向に往復移動する前述の第一、第二実施例とは異なり、図１２、図１３および図１４に示される第三実施例は、特許文献３に示されるような、肉箱４が上下方向に往復移動するタイプの食肉スライサーである。なお、図１２は特許文献３に示された肉箱が上下方向に往復移動するタイプの食肉スライサーの斜視図である。図１３は図１２の側面図である。図１４は図１２に示す実施例において供給口カバーと側面カバーとを同時に開放した状態を示す背面図である。
【００４７】
図１３において、肉箱４は前述した実施例と同様の構成であり、食肉の送出し装置を備えている。肉箱４は、機台１内に設けられたクランク装置（図示せず）によってガイド３、３に案内されて点線表示位置（始端位置）から仮想線表示位置までの間を上下に往復移動する。
【００４８】
この第三実施例における機台１は、図１４に示すように背面視においてカギ型（逆Ｌ字型）状で、図１３に示す長さ方向においては、ほぼ肉箱４の長さを有している。したがって、肉箱カバー１２は上面と反機台側面（図１４における向かって左側）および後面（図１３における向かって右側）を囲う形状で肉箱４の移動範囲を覆うことができる。すなわち、供給口カバー１３は機台１の側端部に蝶番１４、１４で止着され、肉箱４の移動範囲の上面と側面の一部を覆う反Ｌ字状に形成されている。この供給口カバー１３の延長上には側面カバー２２が設けられていて機台１に開閉自在に蝶番１４、１４で止着される。後面には機台１に蝶番１４、１４で一端を止着されて他端側は閉じられた供給口カバー１３と側面カバー２２に合致する形状とされた後面カバー２５が機台１に蝶番１４、１４で開閉可能に取付けられている。
【００４９】
なお、供給口カバー１３、側面カバー２２など開閉自在とされたカバーは、開放状態にある時にはスライサーが運転できないようにインターロックを施すが、その具体的手段についての説明は省略する。
【図面の簡単な説明】
【００５０】
【図１】肉箱を左右方向に往復移動させるクランク装置が肉箱の直下に平面で回転するように配置されている特許文献１に示されるタイプの食肉スライサーの斜視図である。この食肉スライサーに本発明を実施したものが第一実施例である。
【図２】図１の側面図である。
【図３】第一実施例における肉箱カバーの供給口が、肉箱カバーの上面の一部から後面の一部にかけて開口され、この供給口を塞ぐ供給口カバーが開閉可能に設けられていて、この供給口カバーを開けた状態を示す部分斜視図である。
【図４】クランク機構が、刃物架台の下部に配置されて縦方向に回転する特許文献２に示されるタイプの食肉スライサーの斜視図である。この食肉スライサーに本発明を実施したものを第二実施例とする。
【図５】図４の側面図である。
【図６】図４の正面図である。
【図７】肉箱の移動範囲を覆う肉箱カバーの一例であって、供給口カバーと側面カバーとを一体的に構成した斜視図である。
【図８】図７に示す例における一体カバーを開放した状態を示す正面図である。
【図９】肉箱カバーの別の実施例を示す斜視図である。
【図１０】図９に示す実施例において供給口カバーと側面カバーを同時に開放した状態を示す正面図である。
【図１１】肉箱の往復移動の始端位置における供給口カバーの開放装置の一例を示す背面図である。
【図１２】特許文献３に示された肉箱が上下方向に往復移動するタイプの食肉スライサーの斜視図である。この食肉スライサーに本発明を実施したものを第三実施例とする。
【図１３】図１２の側面図である。
【図１４】図１２に示す実施例において供給口カバーと側面カバーとを同時に開放した状態を示す背面図である。
【図１５】別の実施例の要部斜視図である。
【図１６】更に別の実施例の要部斜視図である。
【符号の説明】
【００５１】
１  機台
２  丸刃
４  肉箱
１２  肉箱カバー
１３  供給口カバー
【図１】
2007021695.tif 000003
【図２】
2007021695.tif 000004
【図３】
2007021695.tif 000005
【図４】
2007021695.tif 000006
【図５】
2007021695.tif 000007
【図６】
2007021695.tif 000008
【図７】
2007021695.tif 000009
【図８】
2007021695.tif 000010
【図９】
2007021695.tif 000011
【図１０】
2007021695.tif 000012
【図１１】
2007021695.tif 000013
【図１２】
2007021695.tif 000014
【図１３】
2007021695.tif 000015
【図１４】
2007021695.tif 000016
【図１５】
2007021695.tif 000017
【図１６】
2007021695.tif 000018
【手続補正書】
【提出日】平成17年7月26日(2005.7.26)
【手続補正１】
【補正対象書類名】明細書
【補正対象項目名】０００２
【補正方法】変更
【補正の内容】
【０００２】
最も一般的な食肉スライサーにおいては、特許文献１（特開２００３−１７０３９０公報）の図１などに示されるように、垂直面内で回転する丸刃の回転面にブロック肉の前端面を沿わせ、ブロック肉を収納した肉箱をクランク機構によってレール上を左右方向に往復移動させる水平往復型となっている。この特許文献１に記載の食肉スライサーでは、クランク機構が、肉箱の直下で水平方向に回転するように備えられている。
【手続補正２】
【補正対象書類名】明細書
【補正対象項目名】０００４
【補正方法】変更
【補正の内容】
【０００４】
特許文献１および特許文献２のいずれに記載された食肉スライサーでも、肉箱は露出したままで左右方向に移動するので、作業者に対して極めて危険な状態である。しかし、上述の食肉スライサーは古くから使われている構成であって、他の部分は改良が重ねられたが、肉箱が露出した状態は現在もそのまま踏襲され、未だに改良されようとしていない。
【手続補正３】
【補正対象書類名】図面
【補正対象項目名】図１３
【補正方法】変更
【補正の内容】
【図１３】
2007021695.tif 000019